(57)【要約】【課題】表示された処理項目から目的の項目を簡単に且つ素早く選択できるメニュー表示制御装置を提供する。【解決手段】メモリ２２には、階層化されたメニューが記憶されており、制御部１９が、目的のメニューをメモリ２２から読み出す。制御部１９は、中央部分に選択した項目を配置し、その周囲の上下左右に下位の階層のメニュー項目を配置する。ＯＳＤ部２０は、ＯＳＤ画像としてメニュー表示画像を生成し、映像処理部１６において表示用信号に処理させて表示部１８にメニューをＯＳＤ表示させる。【選択図】図１
2008097407.tif 000002
【特許請求の範囲】
【請求項１】
処理項目のメニューを表示する表示手段と、
表示された処理項目を選択する入力手段と、
メニューの処理項目を記憶する記憶手段と、
前記記憶手段から読み出した処理項目を、中央及びその周囲に配置して前記表示手段に表示する表示制御手段とを備えたことを特徴とするメニュー表示制御装置。
【請求項２】
前記記憶手段は、階層化されたメニューの処理項目を記憶し、
前記表示制御手段は、前記入力手段により選択された処理項目に関連する下位の階層メニューを前記記憶手段から読み出し、選択された処理項目を中央に配置し、読み出した前記下位の階層メニューの処理項目を前記中央の処理項目の周囲に配置することを特徴とする請求項１に記載のメニュー表示制御装置。
【請求項３】
前記表示制御手段は、
中央の処理項目の上下左右に処理項目を配置したことを特徴とする請求項１又は２に記載のメニュー表示制御装置。
【請求項４】
前記表示制御手段は、選択された処理項目の斜め左上、斜め右上、斜め左下、斜め右下にも下位の階層メニューの処理項目を配置したことを特徴とする請求項３に記載のメニュー表示制御装置。
【請求項５】
前記表示制御手段は、一度に処理項目を表示できない場合は、複数回に分けて表示することを特徴とする請求項１乃至４のいずれかに記載のメニュー表示制御装置。
【発明の詳細な説明】
【技術分野】
【０００１】
本発明は、操作メニューを表示させて処理項目を選択させることによって操作を行なうメニュー表示制御装置に関する。
【背景技術】
【０００２】
近年、テレビジョン受像機やＤＶＤレコーダのＡＶ機器、パソコン等の情報処理装置においては、多機能化とともに処理項目が非常に多くなり、操作入力キーに処理項目を割り当てることは不可能である。そこで、処理項目をメニュー化して表示装置に表示させ、ユーザがその中から所望の項目を選択する方式が普及している。
【０００３】
このメニュー選択方式においても、一度にすべての処理項目を表示することは、ユーザの混乱を招くだけなので、各処理項目を階層化して分類し、プルダウンで順々に表示していく方式をとっている。
【０００４】
図７は、プルダウン表示による階層表示の一例を示す説明図である。
これはテレビジョン受像機の表示部１００において、処理項目をプルダウン・メニューにより表示させたものである。ユーザがリモコンのメニューキーを押すと、第１層目のメニューとして、映像調整１０１ａ、音声調整１０１ｂ、本体設定１０１ｃ、入力切替１０１ｄの４項目が表示される。ユーザがリモコンにより、本体設定１０１ｃを選択すると、その下に第２層目のメニューが表示され、アンテナ設定１０２ａ、言語設定１０２ｂ、チャンネル設定１０２ｃ、スピーカ設定１０２ｄの４項目がプルダウン表示される。ユーザが言語設定１０２ｂを選択すると、言語設定１０２ｂの右隣に、英語１０３ａ、フランス語１０３ｂ、ドイツ語１０３ｃ、日本語１０３ｄ、中国語１０３ｅ、韓国語１０３ｆ、がプルダウン表示される。ユーザは、ここで中国語１０３を選択すると、言語設定が中国語となる。
【０００５】
本体設定１０１ｃを例にとって説明したが、各処理項目のメニューは、このように階層化されており、ユーザが選択した項目に関連した階層のメニュー項目がプルダウン表示される。
【０００６】
しかしながら、処理項目をプルダウン表示していくと、処理項目を選択するときに、リモコンの上下左右の方向指定キーを用いると、何回もキーを押さなければ目的の項目を選択できない場合が出てくる。これでは、選択までに時間がかかるため、操作性が悪い。特に、多機能の機器の操作の場合、メニューが何層にもわたる場合があり、より簡便な操作が求められている。
【０００７】
そこで特許文献１の発明では、各処理項目のユーザによる使用頻度を記憶しておいて、プルダウン・メニューの先頭から使用頻度の高い順に処理項目を配置表示するものが開示されている。こうして、ユーザが少ないキー入力によって処理項目を選択でき、操作性を向上できる。
【特許文献１】特開平９−８１３５７号公報
【発明の開示】
【発明が解決しようとする課題】
【０００８】
しかし、特許文献１の発明では、プルダウン・メニューの先頭から使用頻度の高い順に処理項目を配置したとしても、常にユーザがその使用頻度に従って処理項目を選択するわけではない。使用頻度の一番低い処理項目を選択したい場合は、キー入力が増えてしまい、項目の表示位置を使用頻度順に並べ替える処理をしない方がキーの入力回数が少ないことも起こり得る。さらに、使用頻度は使っているうちに学習されていくものなので、初期段階では、キーの入力回数が減少することはない。
【０００９】
本発明は、斯かる実情に鑑み、表示された処理項目から目的の項目を簡単に且つ素早く選択できるメニュー表示制御装置を提供しようとするものである。
【課題を解決するための手段】
【００１０】
本発明は、処理項目のメニューを表示する表示手段と、表示された処理項目を選択する入力手段と、メニューの処理項目を記憶する記憶手段と、前記記憶手段から読み出した処理項目を、中央及びその周囲に配置して前記表示手段に表示する表示制御手段とを備えたことを特徴とするメニュー表示制御装置である。
【００１１】
また、前記記憶手段は、階層化されたメニューの処理項目を記憶し、前記表示制御手段は、前記入力手段により選択された処理項目に関連する下位の階層メニューを前記記憶手段から読み出し、選択された処理項目を中央に配置し、読み出した前記下位の階層メニューの処理項目を前記中央の処理項目の周囲に配置することを特徴とする。
【００１２】
また、前記表示制御手段は、中央の処理項目の上下左右に処理項目を配置したことを特徴とする。
【００１３】
また、前記表示制御手段は、選択された処理項目の斜め左上、斜め右上、斜め左下、斜め右下にも下位の階層メニューの処理項目を配置したことを特徴とする。
【００１４】
前記表示制御手段は、一度に処理項目を表示できない場合は、複数回に分けて表示することを特徴とする。
【発明の効果】
【００１５】
本発明によれば、中央の項目の周囲に他の項目を配置したので、項目を選択するときに中央項目から周囲の項目に移るには、方向移動キーを１回押すだけで済むので、操作入力回数が少なく、操作性が向上する。特に、階層メニューの場合は、選択した項目を中央に、それに関連する下位の階層メニューの項目を周囲に配置するので、プルダウン表示に比較して、ユーザには分かりやすく、且つ項目選択操作も簡単で素早くできる。
【発明を実施するための最良の形態】
【００１６】
以下、本発明の実施の形態を添付図面を参照して説明する。
【００１７】
図１は、本発明の処理メニュー表示制御装置を有するテレビジョン受像機を示すブロック図である。このテレビジョン受像機１０は、アンテナ１１、チューナ１２、セレクタ１３、デコーダ１４、音声処理部１５、映像処理部１６、スピーカ１７、表示部１８、制御部１９、ＯＳＤ（On Screen Display）部２０、リモコン受信部２１、メモリ２２、リモコン２３、とを備えた構成である。
【００１８】
セレクタ１３には、アンテナ１１により受信しチューナ１２で選局された放送信号やＤＶＤなどから入力されるビデオ信号が入力され、リモコン２３の指示などにより信号を選択する。デコーダ１４は、入力された信号を復号し、音声信号は音声処理部１５、映像信号は映像処理部１６へ送る。音声処理部１５は、音声信号をスピーカ１７から出力できるように処理を行う。また、映像処理部１６は、映像信号を表示部１８で表示できるように処理を行う。
【００１９】
リモコン受信部２１は、リモコン２３からの赤外線による操作信号を受けて、電気信号に変換して制御部１９に送る。制御部１９は、リモコン２３からの指示信号を受けて各部を制御する。メモリ２２には、階層化されたメニューが記憶されており、制御部１９が、目的のメニューをメモリ２２から読み出す。ＯＳＤ部２０は、ＯＳＤ画像としてメニュー表示画像を生成し、映像処理部１６において表示用信号に処理させて表示部１８にメニューをＯＳＤ表示させる。
【００２０】
図２は、リモコン２３の一例を示す外観図である。
図２に示すように、リモコン２３は、電源キー３１、上下左右の方向指示キー３２（上方向キー３２ａ、左方向キー３２ｂ、下方向キー３２ｃ、右方向キー３２ｄ）、処理を決定する決定キー３３、メニューを表示させるメニューキー３４、処理を一段前に戻す戻るキー３６、操作を終了させる終了キー３７、テンキー３８等を備える。方向指示キー３２は表示されている選択項目を選択する際に選択項目を移動するためのキーであり、決定キー３３は選択された選択項目の選択を確定するためのキーである。
【００２１】
図３は、メモリ２２に記憶されている階層メニューの一例である。これは、図７に示した処理項目と同じ項目である。
図３に示すように、メモリ２２には、第１層から第４層までのメニューが記憶されている。第１層メニュー５０には、「メニュー」から構成される。第２層メニュー５１は、第１層目メニュー５０に関連する下位の処理項目、「映像調整」、「音声調整」、「本体設定」、「入力切換」から構成される。第３層メニュー５２〜５５は、第２層の各処理項目に関連する下位の処理項目である。映像調整の処理項目５２は、「明るさ」、「濃さ」、「色合い」、「コントラスト」である。音声調整の処理項目５３は、「高音」、「低音」、「バランス」、「サラウンド」である。本体設定のメニュー項目５４は、「アンテナ設定」、「スピーカ設定」、「言語設定」、「チャンネル設定」である。入力切換の処理項目５５は、「チューナ」、「ビデオ信号１，２，３」である。そして、第４層メニューは、第３層の各処理項目に関連する下位の処理項目であるが、項目が多数となるため、図では言語設定における処理項目のみを示す。言語設定の処理項目５６は、「英語」、「フランス語」、「ドイツ語」、「日本語」、「中国語」、「韓国語」である。
【００２２】
図４は、メニューを表示させる手順を示すフローチャートである。また、図５は、メニュー表示を示す説明図である。
テレビジョン受像機１０の表示部１８に表示するメニュー表示は、図５に示すように、中央部分に選択した項目を配置し、その周囲の上下左右に下位の階層のメニュー項目を配置するものである。図４のフローチャートに基づき、図５のメニュー表示をさせる処理を説明する。
【００２３】
まず、制御部１９は、ユーザによりリモコン２３のメニューキー３４が押されたかを確認し（ステップＳ１）、押された場合には、メモリ２２より第１層のメニュー項目５０を読み出すとともに、その下位の第２層のメニュー項目５１を読み出す（ステップＳ２）。制御部１９はすべての処理項目の表示が可能であるかを確認する（ステップＳ３）。この場合は、４項目なので一度に表示可能であるので、ステップＳ４に進む。
【００２４】
制御部１９は、中央に「メニュー」を表示し、その上下左右に読み出した項目を配置するようにＯＳＤ部２０に指示をだす（ステップＳ４）。図５（ａ）に示すように、ＯＳＤ部２０は、中央に「メニュー」５０ａ、上に「映像調整」５１ａ、左に「音声調整」５１ｂ、下に「本体設定」５１ｃ、右に「入力切替」５１ｄの文言を配置してＯＳＤ画像を生成し、表示部１８に表示する（ステップＳ６）。
【００２５】
次に、ユーザがリモコン２３の方向指示キー３２ｃを押して、「本体設定」５１ｃを選択する。制御部１９は、それを確認すると（ステップＳ７）、この階層が最終階層かをメモリ２２のメニューデータから確認し（ステップＳ８）、まだ下位の階層のメニューがあるので、ステップＳ２に戻る。
【００２６】
第２層メニュー５１の本体設定における下位の階層、すなわち第３層メニューである本体設定５４の項目をメモリ２２から読み出す（ステップＳ２）。このときも項目は４つであるので、制御部１９は、すべての項目を表示可能であることを確認し（ステップＳ３）、中央に「本体設定」を配置し、その上下左右に読み出した項目を配置するようにＯＳＤ部２０に指示をだす（ステップＳ４）。ＯＳＤ部２０は、図５（ｂ）に示すように、中央に「本体設定」５１ｃ、上に「アンテナ設定」５４ａ、左に「スピーカ設定」５４ｂ、下に「言語設定」５４ｃ、右に「チャンネル設定」５４ｄを配置してＯＳＤ画像を生成し、表示部１８に表示する（ステップＳ６）。
【００２７】
次に、ユーザがリモコン２３の方向指示キー３２ｃを押して、言語設定５４ｃを選択する。制御部１９は、それを確認すると（ステップＳ７）、この階層が最終階層かをメモリ２２のメニューデータから確認し（ステップＳ８）、まだ下位の階層のメニューがあるので、ステップＳ２に戻る。
【００２８】
第３層メニュー５４の言語設定における下位の階層、すなわち第４層メニューである言語設定５６の項目をメモリ２２から読み出す（ステップＳ２）。このときは、項目は６つであるので、制御部１９は、すべての項目を一度に表示は不可能であることを確認し（ステップＳ３）、中央に「言語設定」を配置し、その下に「次へ」の文言を配置し、さらに残りの上左右に読み出した項目を配置するようにＯＳＤ部２０に指示をだす（ステップＳ５）。ＯＳＤ部２０は、図５（ｃ）に示すように、中央に「言語設定」５４ｃ、上に「英語」５６ａ、左に「フランス語」５６ｂ、下に「次へ」５６ｃ、右に「ドイツ語」５６ｄを配置してＯＳＤ画像を生成し、表示部１８に表示する（ステップＳ６）。
【００２９】
ユーザは、所望の「中国語」が無いため、リモコン２３の方向指示キー３２ｃを押して、「次へ」５６ｃを選択する。制御部１９は、それを確認すると（ステップＳ７）、ステップＳ３に戻る。
【００３０】
第４層メニュー５６の未表示項目は、「韓国語」「日本語」「中国語」の３つであるので、すべて表示可能である。制御部１９は、これを確認して（ステップＳ３）、中央に「本体設定」を配置し、その上下左に読み出した項目を配置するようにＯＳＤ部２０に指示をだす（ステップＳ４）。ＯＳＤ部２０は、図５（ｄ）に示すように、中央に「言語設定」５４ｃ、上に「日本語」５６ｅ、左に「中国語」５６ｆ、下に「韓国語」５６ｇを配置してＯＳＤ画像を生成し、表示部１８に表示する（ステップＳ６）。
【００３１】
ユーザは、リモコン２３の方向指示キー３２ｂを押して、「中国語」５６ｆを選択する。制御部１９は、それを確認すると（ステップＳ７）、この階層が最終階層かをメモリ２２のメニューデータから確認し（ステップＳ８）、最終階層メニューであるので、ステップＳ９に進む。制御部１９は、図５（ｅ）に示すように、中央の「言語設定」５４ｃと左横の「中国語」５６ｆを入れ替えて配置するようＯＳＤ部２０に指示を出し、表示部１８に表示させる（ステップＳ９）。
【００３２】
ユーザは、リモコン２３の決定キー３３を押すと、制御部１９はこれを確認して（ステップＳ１０）、言語設定を中国語にする（ステップＳ１１）。
【００３３】
選択項目を間違った時は、リモコン２３の戻るキー３６を押して、操作を戻しても良いし、終了キー３７を押して最初からやり直しても良い。
【００３４】
こうして、周囲にある処理項目には、リモコン２３の方向指示キーを１回のクリックで選択できるので、操作性が良い。また、階層メニューの場合、選択された処理項目が常に中央に配置されているので、ユーザにとって分かりやすく、かつ項目を選択するために方向指示キー３２を押す回数も、プルダウン表示よりも少なくて済む。
【００３５】
なお、この実施形態では、中央に表示した項目の上下左右の４カ所に下位の階層の項目を配置したが、図６に示すように、中央の項目に対して、斜め右上、斜め左上、斜め右下、斜め左下の方向にも項目を配置して合計９項目を表示してもよい。その場合、例えば、テンキーを用いて、斜め右上などの選択操作を行なってもよい。また、リモコンの戻るキーや決定キー等を押して、操作を実行しても良いが、「戻る」や「決定」等の操作指示の文言を表示して、ユーザが選択できるようにしてもよい。また、選択した項目と他の項目を色分けしてユーザに分かりやすくしてもよい。
【００３６】
また、上記実施形態では、階層構造のメニューであったが、１層のメニューの場合は、すべての項目を、中央とその周囲に配して表示させる。そして、ユーザが項目を選択して、選択した項目を色替えして分かりやすくして、リモコンの決定キーで処理を決定してもよいし、一旦、選択した項目を中央に配置換えしてから項目をリモコンの決定キーを用いて決定してもよい。
【００３７】
実施形態では、テレビジョン受像機を例に挙げたが、本発明はこれに限定されるものではなく、ＤＶＤレコーダ等のＡＶ機器、パソコンやＰＤＦ等の情報機器にも適用できるものである。
【図面の簡単な説明】
【００３８】
【図１】本発明の処理メニュー表示制御装置を有するテレビジョン受像機を示すブロック図である。
【図２】リモコンの一例を示す外観図である。
【図３】メモリに記憶されている階層メニューの一例である。
【図４】メニューを表示させる手順を示すフローチャートである。
【図５】メニュー表示を示す説明図である。
【図６】メニュー表示の他の例を示す説明図である。
【図７】プルダウン表示による階層表示の一例を示す説明図である。
【符号の説明】
【００３９】
１０  テレビジョン受像機
１１  アンテナ
１２  チューナ
１３  セレクタ
１４  デコーダ
１５  音声処理部
１６  映像処理部
１７  スピーカ
１８  表示部
１９  制御部
２０  ＯＳＤ部
２１  リモコン受信部
２２  メモリ
２３  リモコン
３１  電源キー
３２  方向指示キー
３２ａ  上方向キー
３２ｂ  左方向キー
３２ｃ  下方向キー
３２ｄ  右方向キー
３３  決定キー
３４  メニューキー
３６  戻るキー
３７  終了キー
３８  テンキー
【図１】
2008097407.tif 000003
【図２】
2008097407.tif 000004
【図３】
2008097407.tif 000005
【図４】
2008097407.tif 000006
【図５】
2008097407.tif 000007
【図６】
2008097407.tif 000008
【図７】
2008097407.tif 000009